(57)【要約】【課題】  引き違い式窓等に取り付けた一般的クレセント錠用の防犯具であり、外部からの不正な解錠を阻止するように施錠時に自動的に働くクレセント錠用の防犯具を提供すること。【解決手段】  内部に空間を有し、底部の少なくとも一部に前記空間と連通する開口部を具備する本体と、前記開口部から突き出すように可動自在に配置されたストッパーと、前記ストッパーが前記本体から抜け落ちないように支える抜け止め手段を具備するクレセント錠用の防犯具であり、重力により前記開口部から突き出した前記ストッパー部分でクレセント錠のクレセント片の解錠時の回動を阻止する。さらに前記本体が上部に前記空間と連通し前記ストッパーが出入りすることのできる開口部を具備し、前記防犯具を上下逆さにしたときも重力により前記上部の開口部から突き出した前記ストッパー部分でクレセント錠のクレセント片の回動を阻止する。【選択図】      図５
2005105639.tif 000002
【特許請求の範囲】
【請求項１】
内部に空間を有し、底部の少なくとも一部に前記空間と連通する開口部を具備する本体と、前記開口部から突き出すように可動自在に配置されたストッパーと、前記ストッパーが前記本体から抜け落ちないように支える抜け止め手段を具備し、重力により前記開口部から突き出した前記ストッパー部分でクレセント錠のクレセント片の解錠時の回動を阻止することを特徴とするクレセント錠用の防犯具。
【請求項２】
前記本体が上部に前記空間と連通し前記ストッパーが出入りすることのできる開口部をさらに具備し、前記防犯具を上下逆さにしたときも重力により前記上部の開口部から突き出した前記ストッパー部分でクレセント錠のクレセント片の解錠時の回動を阻止することを特徴とする請求項１記載のクレセント錠用の防犯具。
【請求項３】
前記抜け止め手段が前記本体の側部に設けた穴と、前記ストッパー側部の前記穴に対応する位置に設けた凹部と、前記穴を通り前記凹部に係合する止め具により構成されることを特徴とする請求項１又は２に記載のクレセント錠用の防犯具。
【請求項４】
前記抜け止め手段が前記ストッパーの少なくとも一端に設けた突出部で構成され、前記突出部が前記開口部を通過しないことを特徴とする請求項１記載のクレセント錠用の防犯具。
【請求項５】
前記抜け止め手段が前記ストッパーの両端に設けた突出部で構成され、前記突出部が前記本体の上部及び底部に設けた開口部それぞれを通過しないことを特徴とする請求項２記載のクレセント錠用の防犯具。
【請求項６】
前記抜け止め手段が前記本体の側部に設けた穴と、前記穴を通り前記ストッパーの側部に係合する止め具により構成されることを特徴とする請求項１又は２に記載のクレセント錠用の防犯具。
【発明の詳細な説明】
【技術分野】
【０００１】
本発明は、引き違い窓に取り付けたクレセント錠が外部から解錠されないようにするために使用する防犯具に関するものである。
【背景技術】
【０００２】
一般的なクレセント錠とは、引き違い式窓の窓枠に取り付ける一般的な施錠具で、図１に示すように内側の窓枠１に台座２０を介して回動自在に取り付けられたクレセント片２１を回動させて、外側の窓枠（図示せず）の前記クレセント片２１と対応する位置に設けたフック２２に係合させることによって施錠する。
【０００３】
ところがこのような構造のクレセント錠では、図１に示すように外部からドライバー３などで窓ガラス４を一部破損して、ドライバー３などをその穴から突っ込みクレセント片２１を押して解錠し、簡単に窓を開けて室内に侵入する事例が多く起こっている。そのため、外部からの不正な解錠を防止するためのストッパー付きクレセント錠（例えば、特許文献１。）などが多く知られている。前記ストッパー付きクレセント錠は、クレセント片の不正な回動を阻止するためのストッパーと前記ストッパーを閉鎖セット位置に切り換え操作不能に掛止させるための押釦式上機構を設けた二重施錠方式のクレセント錠である。
【０００４】
つまり前記ストッパー付きクレセント錠はその構造が複雑である上に、既設のクレセント錠と交換する必要があり、このようなクレセント錠自体の交換にかかる費用、手間ともに使用者にとっては大きな負担となる。また前記ストッパー付きクレセント錠は、ストッパーが閉鎖セット位置にくるように使用者がわざわざ操作する必要があるが、施錠のたびにそれをするのは非常に面倒であり、さらにはうっかり忘れてしまうといった恐れもある。
【特許文献１】特開２０００−２６５７２３
【発明の開示】
【発明が解決しようとする課題】
【０００５】
そこで、この発明では、引き違い式窓等に取り付けた一般的クレセント錠用の防犯具であり、外部からの不正な解錠を阻止するように施錠時に自動的に働くクレセント錠用の防犯具を提供することを課題とする。
【課題を解決するための手段】
【０００６】
（請求項１記載の発明）
この発明のクレセント錠用の防犯具は、内部に空間を有し、底部の少なくとも一部に前記空間と連通する開口部を具備する本体と、前記開口部から突き出すように可動自在に配置されたストッパーと、前記ストッパーが前記本体から抜け落ちないように支える抜け止め手段を具備し、重力により前記開口部から突き出した前記ストッパー部分でクレセント錠のクレセント片の解錠時の回動を阻止する。
（請求項２記載の発明）
この発明のクレセント錠用の防犯具は請求項１記載の発明に関し、前記本体が上部に前記空間と連通し前記ストッパーが出入りすることのできる開口部をさらに具備し、前記防犯具を上下逆さにしたときも重力により前記上部の開口部から突き出した前記ストッパー部分でクレセント錠のクレセント片の解錠時の回動を阻止する。
（請求項３記載の発明）
この発明のクレセント錠用の防犯具は請求項１又は２記載の発明に関し、前記抜け止め手段が前記本体の側部に設けた穴と、前記ストッパー側部の前記穴に対応する位置に設けた凹部と、前記穴を通り前記凹部に係合する止め具により構成される。
（請求項４記載の発明）
この発明のクレセント錠用の防犯具は請求項１記載の発明に関し、前記抜け止め手段が前記ストッパーの少なくとも一端に設けた突出部で構成され、前記突出部が前記開口部を通過しない。
（請求項５記載の発明）
この発明のクレセント錠用の防犯具は請求項２記載の発明に関し、前記抜け止め手段が前記ストッパーの両端に設けた突出部で構成され、前記突出部が前記本体の上部及び底部に設けた開口部それぞれを通過しない
（請求項６記載の発明）
この発明のクレセント錠用の防犯具は請求項１又は２に記載の発明に関し、前記抜け止め手段が前記本体の側部に設けた穴と、前記穴を通り前記ストッパーの側部に係合する止め具により構成される。
【発明の効果】
【０００７】
本発明は、下記のような構成であるから次の効果を有する。
【０００８】
発明を実施するための最良の形態の欄に記載した内容から、引き違い式窓等に取り付けた一般的クレセント錠の外部からの不正な解錠を阻止するように施錠時に自動的に働くクレセント錠用の防犯具を提供できた。
【発明を実施するための最良の形態】
【０００９】
この発明の最良の実施形態のクレセント錠用の防犯具を図面に従って説明する。
【実施例１】
【００１０】
図２は、本発明の実施例１のクレセント錠用の防犯具で、前記防犯具を構成する部材を分解した状態を示す斜視図である。図３は、本発明の実施例１のクレセント錠用の防犯具においてストッパーが落下した状態を示す縦断面図である。図４は、本発明の実施例１のクレセント錠用の防犯具の使用例を示す斜視図である。図５は、本発明の実施例１のクレセント錠用の防犯具によりクレセント錠のクレセント片の不正な解錠時の回動を阻止する状態を示す断面図である。
【００１１】
このクレセント錠用の防犯具Ａは、図２に示すように内部に空間５０と前記空間５０と連通する開口部５１、５２を上部と底部にそれぞれ具備するアルミニウム製の本体５と、前記開口部５１、５２からある程度突き出るように上下に可動自在するアルミニウム製のストッパー６と、前記ストッパー６が前記本体５から抜け落ちてしまわないように支える抜け止め手段７によって構成されている。前記防犯具Ａはさらに止め具（図示せず）によって窓枠に取り付けるための支止部５３を具備する。前記抜け止め手段７は、図２および図３に示すように本体５の側部に設けた穴７１ａと、前記ストッパーの側部の前記穴７１ａと対応する位置に設けた凹部７０と、前記穴７１ａを通り前記凹部７０に係合する止め具７２ａによって構成される。図３において前記ストッパー６を上げた状態を二点鎖線により示してある。前記止め具７２ａはネジの形状をし、前記穴７１ａの内側に切られたネジ溝に螺入させることができる。
【００１２】
このように構成された防犯具Ａは、図４に示すように一般的なクレセント錠２が設置された引き違い式窓の内側の窓枠１の前記クレセント片２１の上部に前記支止部５３を介してネジ等の止め具５４で取り付ける。さらに詳しくは前記防犯具Ａのストッパー６が落下し前記開口部５２から突き出た状態のときに前記クレセント片２１の解錠時の回動を阻止する位置にくるように設置する。
【００１３】
前記ストッパー６は前記止め具７２ａを締めることにより前記本体５に固定される。このことは前記防犯具Ａを設置する際や掃除する際に特に都合がよい。逆に前記止め具７２ａを緩めることにより前記ストッパー６は上下に可動自在となる。前記止め具７２ａは通常緩めた状態にしておく。そうすることで前記ストッパー６は自然と重力により落下し前記開口部５２から突き出た状態となるため、使用者は前記クレセント錠２を施錠するたびに前記ストッパー６をセットする必要がない。
【００１４】
上記のような構成により、前記クレセント錠２は図５に示すように前記窓ガラス４がドライバー３等で外部から穴を開けられてそのドライバー３により前記クレセント片２１が押されたとしても、前記ストッパー６部分により前記クレセント片２１の不正な解錠時の回動が阻止されるので解錠されない。
【００１５】
前記本体５は上記のように上部に前記開口部５１を具備し、前記防犯具Ａを上下逆さに取り付けたとしても前記ストッパー６は同様に重力により前記開口部５１からある程度突出して前記ストッパー６部分により前記クレセント片２１の不正な解錠時の回動を阻止することができる。従って前記防犯具Ａは、図４に示したような右側の窓が内窓の引き違い式窓とは逆の引き違い式窓、つまり左側の窓が内窓の引き違い窓の窓枠にも設置することができる。
【００１６】
この防犯具Ａにおいて前記本体５は上部と底部に前記開口部５１、５２をそれぞれ具備していたがこれに限定されず、前記本体５の底部に具備された開口部５２のみであってもよい。
【００１７】
この防犯具Ａにおいて前記抜け止め手段７を構成する前記止め具７２ａがネジの形状をし、前記穴７１ａの内側にはネジ溝が切られていたがこれらに限定されない。
【実施例２】
【００１８】
図６は、本発明の実施例２のクレセント錠用の防犯具においてストッパーが落下した状態を示す斜視図である。
【００１９】
このクレセント錠用の防犯具Ａは、実施例１と同様に内部に空間５０と前記空間５０と連通する開口部５１、５２を上部と底部にそれぞれ具備するアルミニウム製の本体５と、前記開口部５１、５２からある程度突き出るように上下に可動自在するアルミニウム製のストッパー６と、前記ストッパー６が前記本体５から抜け落ちてしまわないように支える抜け止め手段７によって構成されている。前記防犯具Ａはさらにネジ等の止め具（図示せず)によって窓の縦枠に取り付けるための支止部５３を具備する。前記抜け止め手段７は、図６に示すように前記開口部５１、５２を通らない形状であり、前記ストッパー６の両端に設けられた突出部で構成される。このような構成の前記抜け止め手段７は前記ストッパー６を前記空間５０内に配置させた後取り付けられるか、あるいは前記本体５の一部が分離可能で前記抜け止め手段７を両端に具備した前記ストッパー６を前記空間５０内に配置できるようになっている。
【００２０】
このように構成された防犯具Ａは、実施例１と同様に引き違い式窓の窓枠１に設置された一般的なクレセント錠２が設置された引き違い式窓の内側の窓枠１の前記クレセント片２１の上部に前記支止部５３を介してネジ等の止め具５４で取り付ける。さらに詳しくは前記防犯具Ａのストッパー６が落下し前記開口部５２から突き出た状態のときに前記ストッパー６部分により前記クレセント片２１の解錠時の回動を阻止する位置にくるように設置する。
【００２１】
前記ストッパー６は常に上下に可動自在であるため、自然と重力により落下し前記開口部５２から突き出た状態となり、使用者は前記クレセント錠２を施錠するたびに前記ストッパー６をセットする必要がない。
【００２２】
上記のような構成により、前記クレセント錠２は実施例１と同様に前記窓ガラス４がドライバー３等で外部から穴を開けられてそのドライバーにより前記クレセント片２１が押されたとしても、前記ストッパー６部分により前記クレセント片２１の不正な解錠時の回動が阻止されるので解除されない。
【００２３】
前記本体５は上記のように上部に前記開口部５１を具備し、前記防犯具Ａを上下逆さに取り付けたとしても前記ストッパー６は同様に重力により前記開口部５１からある程度突出して前記ストッパー６部分により前記クレセント片２１の不正な解錠時の回動を阻止することができる。従って、前記防犯具Ａは、図４に示したような右側の窓が内窓の引き違い式窓とは逆の引き違い式窓、つまり左側の窓が内窓の引き違い窓の窓枠にも設置することができる。
【００２４】
この防犯具Ａにおいて前記抜け止め手段７の形状は前記開口部５１、５２を通過しない形状であれば限定されない。また前記抜け止め手段７は前記ストッパー６の両端に具備されていたがこれに限定されず、どちらか一端にのみ具備されていてもよい。このように構成すると前記ストッパー６の前記空間５０内に配置しやすくなる。
【実施例３】
【００２５】
図７は、本発明の実施例３のクレセント錠用の防犯具においてストッパーが落下した状態を示す斜視図である。
【００２６】
このクレセント錠用の防犯具Ａもまた、実施例１と同様に内部に空間５０と前記空間５０と連通する開口部５１、５２を上部と底部にそれぞれ具備するアルミニウム製の本体５と、前記開口部５１、５２からある程度突き出るように上下に可動自在するアルミニウム製のストッパー６と、前記ストッパー６が前記本体５から抜け落ちてしまわないように支える抜け止め手段７によって構成されている。前記防犯具Ａはさらにネジ等の止め具（図示せず）によって窓の縦枠に取り付けるための支止部５３を具備する。前記抜け止め手段７は、図７に示すように本体５の側部に設けた穴７１ｂと、前記穴７１ｂを通って前記ストッパー６の側部に係合した止め具７２ｂによって構成される。前記止め具７２ｂはネジの形状をし、前記ストッパー６の側部に設けたネジ穴（図示せず）に螺入させることができる。
【００２７】
このように構成された防犯具Ａは、実施例１と同様に引き違い式窓の窓枠に設置された
一般的なクレセント錠２が設置された引き違い式窓の内側の窓枠１の前記クレセント片２１の上部に前記支止部５３を介してネジ等の止め具５４で取り付ける。さらに詳しくは前記防犯具Ａのストッパー６が落下し前記開口部５２から突き出た状態のときに前記ストッパー６部分により前記クレセント片２１の解錠時の回動を阻止する位置にくるように設置する。
【００２８】
前記ストッパー６は前記止め具７２ｂを締めることにより前記本体５に固定される。このことは前記防犯具Ａを設置する際や掃除する際に特に都合がよい。逆に前記止め具７２ｂを緩めることにより前記ストッパー６は上下に可動自在となる。前記穴７１ｂは図７に示すように前記ストッパー６が前記開口部５２からある程度突出するように上下可能となるような長さを有する。前記止め具７２ｂは通常緩めた状態にしておく。そうすることで前記ストッパー６は自然と重力により落下し前記開口部５２から突き出た状態となるため、使用者は前記クレセント錠２を施錠するたびに前記ストッパー６をセットする必要がない。
【００２９】
上記のような構成により、前記クレセント錠２は実施例１と同様に前記窓ガラス４がドライバー３等で外部から穴を開けられてそのドライバー３により前記クレセント片２１が押されたとしても、前記ストッパー６部分により前記クレセント片２１の不正な解錠時の回動が阻止されるので解錠されない。
【００３０】
前記本体５は上記のように上部に前記開口部５１を具備し、前記防犯具Ａを上下逆さに取り付けたとしても前記ストッパー６は同様に重力により前記開口部５１からある程度突出して前記ストッパー６部分により前記クレセント片２１の不正な解錠時の回動を阻止することができる。従って、前記防犯具Ａは、図４に示したような右側の窓が内窓の引き違い式窓とは逆の引き違い式窓、つまり左側の窓が内窓の引き違い窓の窓枠にも設置することができる。
【００３１】
この防犯具Ａにおいて前記本体５は上部と底部に前記開口部５１、５２をそれぞれ具備していたがこれに限定されず、前記本体５の底部に具備された開口部５２のみであってもよい。
【００３２】
この防犯具Ａにおいて前記抜け止め手段７を構成する前記止め具７２ｂはネジであったがこれに限定されない。
【００３３】
この防犯具Ａにおいて、前記実施例１から３の防犯具Ａを構成する本体５とストッパー６はアルミニウム製であったがこれに限定されず、ポリカーボネート樹脂やその他、外部からの衝撃により破損しない程度の強度を有する硬質のものであればよい。
【００３４】
この防犯具Ａにおいて、前記防犯具Ａの大きさは特に限定されない。好ましくはストッパーが落下した状態で横幅（防犯具Ａを窓枠に設置した時の窓の内側方向から外側方向における幅）が１０ｍｍから２０ｍｍ、奥行きが１５ｍｍから２５ｍｍ、縦が１００ｍｍから１５０ｍｍであることが、一般的な窓枠サッシの厚さや、それに取り付けられる一般的なクレセント錠の大きさを考慮した場合都合がよい。
【００３５】
この防犯具Ａにおいて、前記実施例１から３の前記防犯具Ａは止め具６４により窓枠１に固定されていたがこれに限定されず、ある程度の強度で防犯具Ａが窓枠１に固定されれば、例えば粘着剤や両面テープなどで貼り付けてもよい。この場合、前記支止部５３はなくてもよい。
【００３６】
この防犯具Ａにおいて、前記実施例１から３の前記防犯具Ａを取り付ける引き違い窓の窓ガラスは特に限定されないが、好ましくは網入りガラスや樹脂入りガラスなどの防犯ガラスであるとよい。
【００３７】
この防犯具Ａにおいて、前記抜け止め手段は前記実施例１から３の構成に限定されず、前記ストッパー６が前記本体５の前記空間５０から抜け落ちないように、前記ストッパー６がある程度前記開口部５２から突出した状態を維持するものであれば限定されない。好ましくは、前記防犯具Ａを上下逆さに取り付けたとしても前記ストッパー６は前記実施例１から３と同様に重力により前記開口部５１からある程度突出して前記ストッパー６部分によりクレセント片２１の不正な解錠時の回動を阻止することができるとよい。
【図面の簡単な説明】
【００３８】
【図１】一般的なクレセント錠が外部から不正に解錠される状態を示す断面図
【図２】本発明の実施例１のクレセント錠用の防犯具で前記防犯具を構成する部材を分解した状態を示す斜視図
【図３】本発明の実施例１のクレセント錠用の防犯具においてストッパーが落下した状態を示す縦断面図
【図４】本発明の実施例１のクレセント錠用の防犯具の使用例を示す斜視図
【図５】本発明の実施例１のクレセント錠用の防犯具によりクレセント錠のクレセント片の不正な解錠時の回動を阻止する状態を示す断面図
【図６】本発明の実施例２のクレセント錠用の防犯具においてストッパーが落下した状態を示す斜視図
【図７】本発明の実施例３のクレセント錠用の防犯具においてストッパーが落下した状態を示す斜視図
【符号の説明】
【００３９】
Ａ    防犯具
１    窓枠
２    クセレント錠
３    ドライバー
４    窓ガラス
５    本体
６    ストッパー
７    抜け止め手段
２０  台座
２１  クレセント片
２２  フック
５０  空間
５１  開口部
５２  開口部
５３  支止部
５４  止め具
７０  凹部
７１  穴
７２  止め具
【図１】
2005105639.tif 000003
【図２】
2005105639.tif 000004
【図３】
2005105639.tif 000005
【図４】
2005105639.tif 000006
【図５】
2005105639.tif 000007
【図６】
2005105639.tif 000008
【図７】
2005105639.tif 000009